(57)【要約】      （修正有）【課題】  変化に富んだ立体的な緑化空間と、滝、せせらぎ、池、湿地等の構成により、多様な生物が生息可能となる多彩な環境を造形することがでる立体緑化造形工法を提供する。【解決手段】  立体緑化環境の意匠を計画して、構成される立体緑化造形基盤の縮尺モデルを作成する。その縮尺モデルを分割して複数の立体緑化造形基盤ユニットモデルにする。それの側面形状線を作図する。次に設計で指定した寸法、厚さに切断した各発泡断熱材ブロックのそれぞれの側面に、各立体緑化造形基盤ユニットモデルより得たそれぞれの側面形状線を原寸拡大した線で転写する。各発泡断熱材ブロックに描かれた側面形状線に沿って彫刻造形して得た各立体緑化造形基盤ユニットの上部面を、繊維強化セメントやモルタル、珪藻土又は強化ポリエステル樹脂等で被覆強化する。【選択図】    図６
2005060958.tif 000002
【特許請求の範囲】
【請求項１】
予め計画した立体緑化環境の意匠に合わせて、構成される立体緑化造形基盤の縮尺モデルを作成する第１の工程と、第１の工程で得た縮尺モデルを、設計で指定した各ユニット寸法に分割する第２の工程と、分割された各立体緑化造形基盤ユニットモデルのそれぞれの側面形状線を作図する第３の工程と、設計で指定した寸法、厚さに切断された各発泡断熱材ブロックのそれぞれの側面に、第３の工程より得た各側面形状線を原寸拡大した線で、それぞれに転写する第４の工程と、第４の工程で得た各発泡断熱材ブロックの、それぞれの側面形状線に沿って彫刻造形する第５の工程と、第５の工程で得た彫刻造形された各発泡断熱材ブロックの立体緑化造形基盤ユニット上部面に、繊維強化セメントやモルタル、珪藻土又は強化ポリエステル樹脂等の被覆材で被覆強化する第６の工程と、第６の工程で得た各立体緑化造形基盤ユニットを、設計で指定した場所に設置、連結する第７の工程と、第７の工程で得た各立体緑化造形基盤ユニットを連結した立体緑化造形基盤上に、土壌及び植栽、造園工事をする第８の工程から構成される立体緑化造形工法。
【請求項２】
予め計画した立体緑化環境の意匠に合わせて、構成される立体緑化造形基盤の縮尺モデルを作成する第１の工程と、第１の工程で得た縮尺モデルを、設計で指定した各ユニット寸法に分割する第２の工程と、分割された各立体緑化造形基盤ユニットモデルから設計で指定した等高線を作図する第３の工程と、設計で指定した寸法、厚さの各発泡断熱板上面に、第３の工程で得た各等高線形状を原寸拡大した線でそれぞれに転写する第４の工程と、第４の工程で得た各発泡断熱板上面の各等高線形状に沿って切断する第５の工程と、第５の工程で得た各等高線形状の発泡断熱板を等高線の順に下部より積層接着された。次に各等高線形状発泡断熱板の立体緑化造形基盤ユニット上部面に、繊維強化セメントやモルタル、珪藻土又は強化ポリエステル樹脂等の被覆材で被覆強化する第６の工程と、第６の工程で得た各立体緑化造形基盤ユニットを、設計で指定した場所に設置、連結する第７の工程と、第７の工程で得た各立体緑化造形基盤ユニットを連結した立体緑化造形基盤上に、土壌及び植栽、造園工事をする第８の工程から構成される立体緑化造形工法。
【請求項３】
滝、せせらぎ、池、湿地等の水辺環境を発泡断熱材ブロックによる立体緑化造形基盤ユニットを連結して得た立体緑化造形基盤上部面の適所に造形する請求項１又は請求項２記載の立体緑化造形工法。
【発明の詳細な説明】
【技術分野】
【０００１】
本発明は、屋上・壁面・人工地盤上等の緑化、庭・広場・公園・公開空地等の緑化、湖沼・池・プール等の緑化浮島の立体緑化造形工法に関するものである。
【背景技術】
【０００２】
発泡断熱材を利用した緑化工法は、土木工事用の嵩上げ材、又は平積みの緑化基盤材としては従来から行われている。
【発明の開示】
【発明が解決しようとする課題】
【０００３】
本発明の課題は、屋上・壁面・人工地盤上等の緑化、庭・広場・公園・公開空地等の緑化、湖沼・池・プール等の緑化浮島等に、変化に富んだ立体的な緑化空間と、滝、せせらぎ、池、湿地等の構成により、多様な生物が生息可能となる多彩な環境を造形することができ、環境負荷の少ない持続可能な緑化環境を、短期間で効率良く創出することが可能な立体緑化造形工法を提供することにある。
【課題を解決するための手段】
【０００４】
本発明の手段の１は、先ず変化に富んだ多彩な表情を持つ自然環境を良く観察し、設置空間にふさわしい立体緑化環境の意匠を計画して、構成される立体緑化造形基盤の縮尺モデルを作成する。次いでその縮尺モデルを分割して複数の立体緑化造形基盤ユニットモデルにする。各立体緑化造形基盤ユニットモデルのそれぞれの側面形状線を作図する。次に設計で指定した寸法、厚さに切断した各発泡断熱材ブロックのそれぞれの側面に、各立体緑化造形基盤ユニットモデルより得たそれぞれの側面形状線を原寸拡大した線で転写する。各発泡断熱材ブロックに描かれた側面形状線に沿って彫刻造形して得た各立体緑化造形基盤ユニットの上部面を、繊維強化セメントやモルタル、珪藻土又は強化ポリエステル樹脂等で被覆強化する。しかる後、設計で指定した場所に各立体緑化造形基盤ユニットを設置、連結して立体緑化造形基盤を完成させ、その上に土壌及び植栽、造園工事をして立体緑化環境をつくりだすものである。
【０００５】
次いで手段の２は、予め計画した立体緑化環境の意匠に合わせて、構成される立体緑化造形基盤の縮尺モデルを作成する。次にその縮尺モデルを分割して複数の立体緑化造形基盤ユニットモデルにする。各立体緑化造形基盤ユニットモデルから設計で指定した等高線を作図する。そして設計で指定した寸法、厚さの各発泡断熱板上面に各等高線形状を原寸拡大した線でそれぞれに転写する。各発泡断熱板上面の各等高線形状に沿って切断して得た各等高線形状の発泡断熱板を等高線の順に下部より積層接着する。次に各等高線形状発泡断熱板積層の立体緑化造形基盤ユニット上部面に、繊維強化セメントやモルタル、珪藻土又は強化ポリエステル樹脂等の被覆材で被覆強化する。しかる後、設計で指定した場所に各立体緑化造形基盤ユニットを設置、連結して立体緑化造形基盤を完成させ、その上に、土壌及び植栽、造園工事をして立体緑化環境をつくりだすものである。
【０００６】
手段３は、雨水の一時貯留及び循環等の設備を設け、擬岩等の構成により手段の１又は手段２で得た各立体緑化造形基盤ユニットを連結して得た立体緑化造形基盤上部面の適所に滝、せせらぎ、池、湿地等の水辺環境を造形して立体緑化環境をつくりだすものである。
【発明の効果】
【０００７】
本発明によれば、発泡断熱材ブロックを彫刻造形して、計画した意匠に合わせた立体緑化造形基盤をつくり、その基盤上部面に、繊維強化セメントやモルタル、珪藻土又は強化ポリエステル樹脂等で被覆強化した後、土壌及び植栽、造園工事を施すので、従来の工法より、はるかに変化に富んだ多彩な立体的な緑化環境を作ることが可能となる。しかも、立体緑化造形基盤上の適所に、滝、せせらぎ、池、湿地等の水辺環境を一体化して造形でき、水中生物など、多様な生物の生息が可能となる。又、軽量な資材を用いて形成されたもので、屋上等の人工地盤上、湖沼の浮島等の水上、湿地等の軟弱な地盤上等々に多様な緑化環境を作ることが可能となる。さらに、コンパクトなユニット化は、運搬、設置を容易にし、現場工事期間の短縮と低コストでつくる効果がある。
【発明を実施するための最良の形態】
【０００８】
図１は、計画した立体緑化環境の意匠に合わせて、作成した立体緑化造形基盤の縮尺モデル１を示す。図２は、分割された各縮尺モデルユニットの側面形状線を作図、原寸拡大し、発泡断熱材ブロックに転写して彫刻造形された立体緑化造形基盤ユニット２の斜視図。図３は、等高線形状で切断した発泡断熱板を等高線の順に下部より積層した立体緑化造形基盤ユニット３を示す。図２もしくは、図３のいずれかで作成された立体緑化造形基盤ユニット上部面に、繊維強化セメントやモルタル、珪藻土又は強化ポリエステル樹脂等で被覆強化し、各ユニットを設置、連結して立体緑化造形基盤をつくる。
【０００９】
立体緑化造形基盤上に、土壌及び植栽、造園工事等を施して、本発明の立体緑化造形工法が完成する。図４は、発泡断熱材ブロックによる立体緑化造形工法の概要を断面図で示し、４は発泡断熱材ブロックの立体緑化造形基盤ユニットを示す。５は繊維強化セメント等による強化被覆した状態を示してある。６は軽量土壌、７は擬岩、８は池、９はベンチである。
【００１０】
尚本発明は、雨水の一時貯留及び循環等により、滝、せせらぎ、池、湿地等、水辺の環境構成要素を整え、多様な生物が生息できるようにすることもできる。また都市河川等、二重構造化した人工物上の小川づくりに、軽量で多自然な水辺環境も造形できる。更に、湖沼、池、プール等の緑化浮島として、軽量で多自然な水辺環境も造形できる。
【図面の簡単な説明】
【００１１】
【図１】立体緑化造形基盤の縮尺モデルの斜視図。
【図２】彫刻造形した立体緑化造形基盤ユニットの斜視図。
【図３】等高線形状に積層した立体緑化造形基盤ユニットの斜視図。
【図４】立体緑化造形工法の概要を示す断面図。
【図５】発泡断熱材ブロック立体緑化造形基盤ユニットの断面図。
【図６】モデルの他の例を示す断面図。
【図７】繊維強化セメントによる強化被覆した斜視図。
【符号の説明】
【００１２】
１      立体緑化造形基盤の縮尺モデル
２      彫刻造形した立体緑化造形基盤ユニット
３      等高線形状に積層した立体緑化造形基盤ユニット
４      発泡断熱材ブロックの立体緑化造形基盤ユニット
５      繊維強化セメント等による強化被覆
６      軽量土壌
７      擬岩
８      池
９      ベンチ
【図１】
2005060958.tif 000003
【図２】
2005060958.tif 000004
【図３】
2005060958.tif 000005
【図４】
2005060958.tif 000006
【図５】
2005060958.tif 000007
【図６】
2005060958.tif 000008
【図７】
2005060958.tif 000009